(57)【要約】【課題】希少性を有するトレーディングカードであることを示すと共に、トレーディングカードを所有するユーザーと当該トレーディングカードとを対応づけることが可能である当該トレーディングカードのカード識別子を外部から把握することを防止できるトレーディングカード入り包装を提供する。【解決手段】トレーディングカード入り包装５は、表面にキャラクターが表示され、裏面にキャラクターの特性情報、及びユーザーを識別するユーザー識別子に対応づけることが可能であると共にトレーディングカードを識別するカード識別子が表示された希少性を有するトレーディングカード１と、トレーディングカード１の裏面を覆う被覆部材２と、トレーディングカード１の裏面と被覆部材２とが重なった状態を保持して少なくともトレーディングカード１を封入する包装３とを備える。【選択図】図２
0003186982.tif 000002
【実用新案登録請求の範囲】
【請求項１】
複数のトレーディングカードを含んで構成されるカードデッキを用い、通信網を介して対戦が実行されるトレーディングカードゲーム用のトレーディングカード入り包装であって、
表面に前記トレーディングカードゲームに用いられるキャラクターが表示され、裏面に前記キャラクターの特性情報、及び前記トレーディングカードゲームに参加するユーザーを一意に識別するユーザー識別子に対応づけることが可能であると共に前記トレーディングカードを一意に識別するカード識別子が表示された希少性を有するトレーディングカードと、
前記トレーディングカードの前記裏面を覆う被覆部材と、
前記トレーディングカードの前記裏面と前記被覆部材とが重なった状態を保持して少なくとも前記トレーディングカードを封入する包装と
を備えるトレーディングカード入り包装。
【請求項２】
前記被覆部材が、前記包装中で前記トレーディングカードに対する位置が変化した場合であっても前記カード識別子を覆う形状を有する請求項１に記載のトレーディングカード入り包装。
【請求項３】
前記包装が、前記包装の外寸より大きな内寸を有する外部包装に包装された請求項１又は２に記載のトレーディングカード入り包装。
【考案の詳細な説明】
【技術分野】
【０００１】
本考案は、トレーディングカード入り包装に関する。特に、本考案は、通信網を介して対戦が実行されるトレーディングカードゲーム用のトレーディングカード入り包装に関する。
【背景技術】
【０００２】
従来、カード本体とシールカードとの２枚一組で構成し、カード本体の裏面とシールカードの表面とを重ね合わせてカード袋に封入されるカードであって、カード本体の表面に文字等は一切印刷せず、人物の写真等のイメージのみを印刷し、カード本体の裏面にアクセスナンバーとカード番号とを記載し、これをシールカードで隠すメッセージコールサービスカードが知られている（例えば、特許文献１参照。）。特許文献１に記載のメッセージコールサービスカードによれば、購入者が求めるカードであることをはっきり認識させると共に、カードに表示するアクセス先の電話番号や個々のカードを識別するカード番号を購入者以外のユーザーが簡単に見ることができないようにできる。
【先行技術文献】
【特許文献】
【０００３】
【特許文献１】実用新案登録第３０３７９９２号公報
【考案の概要】
【考案が解決しようとする課題】
【０００４】
しかし、特許文献１に記載されているメッセージコールサービスカードにおいては、表面に文字等が印刷されないので、カードに表示されるキャラクターを知らないユーザーに対し、当該キャラクターを把握する術がないことになる。また、特許文献１に記載されているメッセージコールサービスカードにおいては、カードに希少性があるか否かに関わらず、全てのカードの裏面を隠すので、希少性を有するカードに興味のあるユーザーの興味を刺激することがない。更に、特許文献１に記載されているメッセージコールサービスカードにおいては、カードを識別するカード番号とユーザーを識別する識別子とを対応づけないので、希少性を有するトレーディングカードの所有が一のユーザーから他のユーザーに移った場合に、所有の移転を把握することを想定していない。
【０００５】
したがって、本考案の目的は、希少性を有するトレーディングカードであることを示すと共に、トレーディングカードを所有するユーザーのユーザー識別子と当該トレーディングカードとを対応づけることが可能である当該トレーディングカードのカード識別子を外部から把握することを防止できるトレーディングカード入り包装を提供することにある。
【課題を解決するための手段】
【０００６】
本考案は、上記目的を達成するため、複数のトレーディングカードを含んで構成されるカードデッキを用い、通信網を介して対戦が実行されるトレーディングカードゲーム用のトレーディングカード入り包装であって、表面にトレーディングカードゲームに用いられるキャラクターが表示され、裏面にキャラクターの特性情報、及びトレーディングカードゲームに参加するユーザーを一意に識別するユーザー識別子に対応づけることが可能であると共にトレーディングカードを一意に識別するカード識別子が表示された希少性を有するトレーディングカードと、トレーディングカードの裏面を覆う被覆部材と、トレーディングカードの裏面と被覆部材とが重なった状態を保持して少なくともトレーディングカードを封入する包装とを備えるトレーディングカード入り包装が提供される。
【０００７】
また、上記トレーディングカード入り包装において、被覆部材が、包装中でトレーディングカードに対する位置が変化した場合であってもカード識別子を覆う形状を有することもできる。
【０００８】
また、上記トレーディングカード入り包装が内部包装であって、包装の外寸より大きな内寸を有する外部包装に覆われていてもよい。
【考案の効果】
【０００９】
本考案に係るトレーディングカード入り包装によれば、希少性を有するトレーディングカードであることを示すと共に、トレーディングカードを所有するユーザーのユーザー識別子と当該トレーディングカードとを対応づけることが可能である当該トレーディングカードのカード識別子を外部から把握することを防止できるトレーディングカード入り包装を提供できる。
【図面の簡単な説明】
【００１０】
【図１】（ａ）は本考案の第１の実施の形態に係るトレーディングカードの正面図であり、（ｂ）は本考案の第１の実施の形態に係るトレーディングカードの背面図である。
【図２】本考案の第１の実施の形態に係るトレーディングカードを包装に封入することでトレーディングカード入り包装を構成する流れを示す図である。
【図３】本考案の第２の実施の形態に係るトレーディングカードを包装に封入することでトレーディングカード入り包装を構成する流れを示す図である。
【図４】本考案の第１及び第２の実施の形態に係るトレーディングカード入り包装の使用図である。
【考案を実施するための形態】
【００１１】
［第１の実施の形態］
図１（ａ）は、本考案の第１の実施の形態に係るトレーディングカードの正面の一例を示し、図１（ｂ）は、本考案の第１の実施の形態に係るトレーディングカードの背面の一例を示す。また、図２は、本考案の第１の実施の形態に係るトレーディングカードを包装に封入することでトレーディングカード入り包装を構成する流れの一例を示す。
【００１２】
（トレーディングカード入り包装５の概要）
本実施の形態に係るトレーディングカード入り包装５は、複数のトレーディングカード１を含んで構成されるカードデッキを用い、インターネット等の通信網を介して複数のユーザー間においてトレーディングカード１を用いた対戦が実行されるトレーディングカードゲーム用のトレーディングカード入り包装５である。包装３に封入されるトレーディングカード１は、複数のトレーディングカード１の中で希少性の高いトレーディングカード１である。そして、一例として、トレーディングカード１の裏面に被覆部材２を重ね合わせた状態でトレーディングカード１及び被覆部材２を包装３に封入することで、トレーディングカード入り包装５が構成される。
【００１３】
（トレーディングカードゲームの概要）
トレーディングカードゲームは概略、以下のようにして実行される。まず、ユーザーは、トレーディングカード１の裏面に記載されている当該トレーディングカード１を一意に識別するカード識別子を、通信端末を介してゲームサーバーに供給する。この場合において、通信端末は、ユーザーを一意に識別するユーザー識別子に対応づけてカード識別子をゲームサーバーに供給する。ゲームサーバーは、ユーザー識別子が対応づけられたカード識別子を格納する。なお、ユーザー識別子は、例えば、電子メールアドレス、ゲームサーバーから各ユーザーに割り当てられるユーザーアカウント等である。
【００１４】
一方、トレーディングカード１の表面には、トレーディングカードゲームに登場するキャラクターが表示される。そして、カード識別子には、当該キャラクターの特性を示す特性情報（例えば、当該キャラクターのゲーム内における強さ等を示す情報）が対応づけられている。一のユーザーが所有する第１のトレーディングカードと他のユーザーが所有する第２のトレーディングカードとが通信網を介した対戦に用いられる場合、ゲームサーバーは、第１のトレーディングカードのカード識別子に対応づけられている特性情報と、第２のトレーディングカードのカード識別子に対応づけられている特性情報とを用い、予め定められたゲームルールに基づいてゲームを実行する。
【００１５】
ここで、カード識別子には１つのユーザー識別子が対応づけられるので、一のカード識別子に複数の互いに異なるユーザー識別子が対応づけられることはない。すなわち、一のカード識別子に第１のユーザーの第１ユーザー識別子が対応づけられている状態で、当該一のカード識別子に第２のユーザーの第２ユーザー識別子を対応づける要求が通信端末からゲームサーバーに供給された場合、ゲームサーバーは、予め格納されているユーザー識別子が対応づけられたカード識別子と当該要求内容とを比較して、当該一のカード識別子に第２ユーザー識別子を対応づけることができない旨を示す情報を当該通信端末に供給する。これにより、本実施の形態に係るトレーディングカード１によれば、希少性の高いトレーディングカード１が一のユーザーに所有されている状態を管理できる。
【００１６】
（トレーディングカード１の詳細）
トレーディングカード１は、表面にトレーディングカードゲームに用いられるキャラクターが表示され、裏面にキャラクターの特性を示す特性情報、及びトレーディングカードゲームに参加するユーザーのユーザー識別子に対応づけることが可能であると共にトレーディングカード１を一意に識別するカード識別子が表示されている。
【００１７】
具体的に、トレーディングカード１は、平面視にて略長方形状を有する。トレーディングカード１は、例えば、紙、プラスチック等の材料を用い、所定の厚さを有して形成される。そして、図１（ａ）に示すように、トレーディングカード１の表面には、トレーディングカードに登場するキャラクターが表示されるキャラクター表示領域１０が設けられる。キャラクター表示領域１０には、キャラクターに関する文字、図形、記号若しくはこれらの結合又はこれらと色彩との結合が表示される。例えば、キャラクター表示領域１０には、キャラクターの図、キャラクターの名称、キャラクターの特徴、キャラクターの必殺技、及び／又はゲームのルール等が表示される。
【００１８】
また、図１（ｂ）に示すように、トレーディングカード１の裏面には、表面に表示されているキャラクターの特性情報が表示される特性情報表示領域１２と、当該トレーディングカード１を一意に識別するカード識別子が表示されるカード識別子表示領域１４及びカード識別子表示領域１６が設けられる。一例として、特性情報表示領域１２は、カード識別子表示領域１４及びカード識別子表示領域１６よりも大きな面積を有する。また、カード識別子表示領域１４とカード識別子表示領域１６とはそれぞれ異なる形状を有することもできる。更に、トレーディングカード１の裏面の予め定められた領域に、当該トレーディングカード１が希少性を有することを示す文字、図形、及び／又は記号を表示することもできる。
【００１９】
特性情報としては、キャラクターのゲーム内における強さ、ゲーム内における技等を示す各種情報が含まれる。また、カード識別子としては、複数の文字及び／又は数字の配列により構成されるカード識別子、及びバーコードやＱＲコード（登録商標）等の２次元コードを用いることができる。例えば、カード識別子表示領域１４に複数の文字と数字との配列により構成されるカード識別子を表示すると共に、カード識別子表示領域１６に２次元コードを表示できる。なお、カード識別子表示領域１４に表示されるカード識別子が表す内容と、カード識別子表示領域１６に表示されるカード識別子が表す内容とは同一である。また、カード識別子表示領域１４若しくはカード識別子表示領域１６のいずれか一方のみを表示することもできる。
【００２０】
（被覆部材２の詳細）
被覆部材２は、トレーディングカード１の裏面を覆う形状を有する。被覆部材２は、包装３中でトレーディングカード１に対する被覆部材２の位置が変化した場合であっても、カード識別子が外部から把握できないように、カード識別子を覆う形状を有して形成される。例えば、被覆部材２は、トレーディングカード１の平面視における形状（一例として、長方形状）と略同一の形状を有して形成される。また、被覆部材２は、トレーディングカード１の裏面に重ね合わせた状態で光等に透かした場合であっても、トレーディングカード１の裏面の表示が被覆部材２を介して視認できない厚さを有して形成される。
【００２１】
（包装３の詳細）
包装３は、トレーディングカード１及び被覆部材２を封入可能な袋状を呈する。具体的に包装３は、トレーディングカード１の裏面と被覆部材２とを重ね合わせた状態を保持してトレーディングカード１と被覆部材２とを封入する袋である。包装３の内寸は、トレーディングカード１の外寸及び被覆部材２の外寸以上の大きさを有する。また、包装３は、トレーディングカード１の少なくともキャラクター表示領域１０が外部から視認できるように、透明若しくは半透明の材料を用いて形成される。例えば、包装３は、プラスチック材料を用いて形成される。なお、キャラクター表示領域１０の少なくとも一部が外部から視認できる限り、不透明な材料を用いて包装３の一部分を構成することもできる。
【００２２】
図２に示すように、トレーディングカード１の裏面と被覆部材２とを重ね合わせた状態を保持してトレーディングカード１と被覆部材２とを包装３に封入することで、本実施の形態に係るトレーディングカード入り包装５が構成される。ここで、包装３のトレーディングカード１及び被覆部材２を封入した側の端部近傍には、熱圧着等により封止されて封止部３０が形成される。
【００２３】
（第１の実施の形態の効果）
本実施の形態に係るトレーディングカード入り包装５は、トレーディングカード１の裏面に表示されているカード識別子が被覆部材２によって覆われているので、希少性の高いトレーディングカード１のカード識別子が包装３の外部から把握することを防止できる。これにより、トレーディングカード入り包装５によれば、希少性を有するトレーディングカード１の表面を包装３の外部から把握できる一方で、トレーディングカード１を所有するユーザーのユーザー識別子に対応づけることが可能であるカード識別子を包装３の外部から視認することを適切に防止できる。
【００２４】
また、本実施の形態に係るトレーディングカード入り包装５は、トレーディングカード１の裏面に被覆部材２を重ねた状態でトレーディングカード１と被覆部材２とを包装３に封入するので、トレーディングカード１の裏面の損傷を防止できると共に、封止部３０が閉じているか否かを確認するだけで、包装３内のトレーディングカード１が未使用であるか否かを容易に把握できる。したがって、トレーディングカード入り包装５によれば、例えば、中古のトレーディングカード流通市場において、トレーディングカードが使用されているか否かを確認する手続を簡便化できる。
【００２５】
［第２の実施の形態］
図３は、本考案の第２の実施の形態に係るトレーディングカードを包装に封入することでトレーディングカード入り包装を構成する流れの一例を示す。また、図４は、本考案の第１及び第２の実施の形態に係るトレーディングカード入り包装の使用法の一例を示す。
【００２６】
第２の実施の形態に係るトレーディングカード入り包装６は、包装４の一方の面に被覆部材４１が形成されている点を除き、第１の実施の形態に係るトレーディングカード入り包装５と略同一の構成及び機能を有する。したがって、相違点を除き詳細な説明は省略する。
【００２７】
第２の実施の形態に係る内部包装としての包装４は、トレーディングカード１を封入可能な袋状を呈すると共に、一方の面に包装４の内部を視認することを防止する被覆部材４１が形成されている。被覆部材４１は、例えば、所定の塗料を包装４の一方の面に塗布することや、不透明材料を用いて包装４の一方の面を形成することで包装４と一体的に構成される。トレーディングカード１の裏面を被覆部材４１側に向けた状態で包装４にトレーディングカード１を挿入し、裏面と被覆部材４１とを重なった状態にすることで、トレーディングカード１の裏面が包装４の外部から視認することを防止できる。なお、トレーディングカード１を包装４に挿入した後、挿入口を封止することで封止部４０が形成される。
【００２８】
そして、図４に示すように、希少性を有さないトレーディングカード１ａ、トレーディングカード１ｂ、トレーディングカード１ｃ、及びトレーディングカード１ｄと共に、トレーディングカード入り包装６を外部包装としての包装３ａに封入することで、複数のトレーディングカード入り包装７が構成される。ここで、包装４は、包装３ａの内寸以下の外寸、好ましくは包装３ａの内寸より小さな外寸を有して形成される。
【００２９】
なお、上記説明においては、第２の実施の形態に係るトレーディングカード入り包装６を例に挙げたが、第１の実施の形態に係るトレーディングカード入り包装５を、希少性を有さない複数のトレーディングカードと共に包装３ａに封入することもできる。なお、包装３ａに封入される希少性を有さないトレーディングカードは１枚以上である。
【００３０】
以上、本考案の実施の形態を説明したが、上記に記載した実施の形態は実用新案登録請求の範囲に係る考案を限定するものではない。また、実施の形態の中で説明した特徴の組合せの全てが考案の課題を解決するための手段に必須であるとは限らない点に留意すべきである。
【符号の説明】
【００３１】
１、１ａ、１ｂ、１ｃ、１ｄ  トレーディングカード
２、４１  被覆部材
３、３ａ、４  包装
５、６、７  トレーディングカード入り包装
１０  キャラクター表示領域
１２  特性情報表示領域
１４、１６  カード識別子表示領域
３０、４０  封止部
【図１】
0003186982.tif 000003
【図２】
0003186982.tif 000004
【図３】
0003186982.tif 000005
【図４】
0003186982.tif 000006